(57)【要約】【課題】本考案は、形成されやすくて良好な平面度を具備する半田接続部を含む二種類の導電端子を含む電気コネクタを提供することを目的とする。【解決手段】本考案の電気コネクタは、絶縁性本体と、絶縁性本体に挿入される複数の第１、第２導電端子と、絶縁性本体を被覆するハウジングと、を備える。前記第１導電端子は、折曲部を含んで一列に配置される第１保持部と第１接触部と第１半田接続部と前記第１保持部と前記第１半田接続部の間に設けられる第１折部とを有する。第２導電端子は、第１保持部の後に他列に配置される第２保持部と第２接触部と第２半田接続部と前記第２保持部と前記第２半田接続部の間に設けられる第２折部とを含む。前記第１導電端子の第１保持部の末端は、前記折曲部によって第２保持部が位置する平面に沿って第２保持部の延在方向と同じ方向に向かって延在する。【選択図】図３
0003145348.tif 000002
【実用新案登録請求の範囲】
【請求項１】
絶縁性本体と、
前記絶縁性本体に挿入され、折曲部を含んで一列に配置される第１保持部と第１接触部と第１半田接続部と前記第１保持部と前記第１半田接続部の間に設けられる第１折部とを有する第１導電端子と、第１保持部の後に他列に配置される第２保持部と第２接触部と第２半田接続部と前記第２保持部と前記第２半田接続部の間に設けられる第２折部とを含む第２導電端子と、
前記絶縁性本体を被覆するハウジングと、
を備え、前記第１導電端子の第１保持部の末端は、前記折曲部によって第２保持部が位置する平面に沿って、第２保持部の延在方向と同じ方向に向かって延在することを特徴とする電気コネクタ。
【請求項２】
前記第１、第２導電端子の第１、第２折部は、同じ平面に位置し、第１、第２半田接続部が同じ寸法を具備して同じ平面に位置することを特徴とする請求項１に記載の電気コネクタ。
【請求項３】
前記第１導電端子の第１保持部が傾斜するように配置されることを特徴とする請求項２に記載の電気コネクタ。
【請求項４】
前記第１導電端子の第１保持部が上下に延在し、折曲部が後向きに延在して下向きに折曲されてＬ字状に形成されることを特徴とする請求項２に記載の電気コネクタ。
【請求項５】
前記絶縁性本体は、それぞれ上表面と下表面に形成される複数の端子溝を含む舌板を備え、前記第１、第２導電端子の第１、第２接触部は、それぞれ舌板の下表面の端子溝と上表面の端子溝に挿入されることを特徴とする請求項２に記載の電気コネクタ。
【請求項６】
前記絶縁性本体は、後端に前記端子溝と貫通する複数の保持溝が形成される主体部を具備し、前記第１、第２導電端子の第１、第２保持部は、前記保持溝に保持されることを特徴とする請求項５に記載の電気コネクタ。
【請求項７】
前記ハウジングは、底壁と、一対の凹口が形成される頂壁と、一対の弾力ビームが設けられる一対の側壁とを有し、前記絶縁性本体には、前記一対の凹口に嵌め込まれる一対の凸状部片が設けられ、前記弾力ビームと係合する一対の凹溝が形成されることを特徴とする請求項２に記載の電気コネクタ。
【請求項８】
前記ハウジングの頂壁と一対の側壁と底壁の中の互いに隣接する二つの壁の間の連接面は、少なくとも一つの連接面の構造が他の連接面の構造と異なることを特徴とする請求項７に記載の電気コネクタ。
【請求項９】
複数の端子溝と複数の保持溝が形成される絶縁性本体を提供し、
一列に配置される第１保持部と第１接触部とが設けられる複数の第１導電端子と、前記第１保持部の後に他列に配置される第２保持部と第２接触部とが設けられる第２導電端子と、を絶縁性本体の端子溝に挿入し、第１保持部の末端を第２保持部に向かって折曲して折曲部に形成し、該折曲部によって第１、第２保持部が平面に沿って延在し、次に第１、第２保持部の末端を、後向きに折曲して第１、第２折部を形成した後第１、第２半田接続部を形成し、
ハウジングを絶縁性本体に被覆することを特徴とする電気コネクタの製造方法。
【考案の詳細な説明】
【技術分野】
【０００１】
本考案は、高周波信号を転送する二種類の導電端子を具備する電気コネクタに関するものである。
【背景技術】
【０００２】
特許文献１に開示された電気コネクタは、絶縁性本体と、該絶縁性本体に固着される複数の第１、第２導電端子と、該絶縁性本体を被覆するハウジングとを備える。各第２導電端子は、上下に延在する本体部と、該本体部の末端から後向きに折り曲げられる半田接続部と、を有する。各第１導電端子は、傾斜した本体部と、該本体部に設けられる接触部と、該本体部の末端から後向きに折り曲げられる半田接続部と、を含む。第１、第２半田接続部は同じ平面に位置する。
【０００３】
半田接続部が形成される前に、第２導電端子の本体部の末端が下向きに延在し、第１導電端子の本体部の末端が傾斜するように配置される。これでは、第１、第２導電端子の半田接続部が同時に同じ操作によって形成されることを実現できない。又、異なる操作によって形成される第１、第２導電端子の半田接続部は、良好な平面度を具備しにくい。
【特許文献１】米国特許出願公開第2007/0066115号明細書
【考案の開示】
【考案が解決しようとする課題】
【０００４】
そこで本考案の目的は、上述の従来技術の問題に鑑み、形成されやすくて良好な平面度を具備する半田接続部を含む二種類の導電端子を備える電気コネクタを提供することにある。
【課題を解決するための手段】
【０００５】
本考案の電気コネクタは、絶縁性本体と、絶縁性本体に挿入される複数の第１、第２導電端子と、絶縁性本体を被覆するハウジングと、を備える。前記第１導電端子は、折曲部を含んで一列に配置される第１保持部と第１接触部と第１半田接続部と前記第１保持部と前記第１半田接続部の間に設けられる第１折部とを有する。第２導電端子は、第１保持部の後に他列に配置される第２保持部と第２接触部と第２半田接続部と前記第２保持部と前記第２半田接続部の間に設けられる第２折部とを含む。前記第１導電端子の第１保持部の末端は、前記折曲部によって第２保持部が位置する平面に沿って第２保持部の延在方向と同じ方向に向かって延在する。
【考案の効果】
【０００６】
従来の技術に比較して本考案は以下の効果を有する。本考案の第１導電端子の第１保持部は、折曲部によって、第２導電端子の第２保持部が位置する平面まで到着するとともに同じ方向に沿って延在する。このような第１、第２保持部の末端は、同時に同じ操作によって第１、第２半田接続部を形成する。これにより、第１、第２導電端子の第１、第２半田接続部は、形成されやすくなるとともに良好な平面度が得られる。
【考案を実施するための最良の形態】
【０００７】
以下、この考案の実施の形態を添付の図を参照して説明する。
【０００８】
図１〜図７を参照すると、第１実施状態における電気コネクタ１００は、絶縁性本体２と、絶縁性本体２に挿入される複数の第１、第２導電端子３１，３２と、絶縁性本体２を被覆するハウジング１とを備える。
【０００９】
図３及び図４に示すように、絶縁性本体２は、主体部２１と、主体部２１から前向きに突伸する舌板２０と、舌板２０の下に位置する複数の支持部２７とを有する。主体部２１は、前面２１２と、後面２１３と、頂面２２と、底面２３と、一対の側面２４とを有する。主体部２１には、前面２１２と後面２１３を貫通する複数の挿入溝２５が形成される。主体部２１の後面２１３には、複数の保持溝２１１が形成される。主体部２１の頂面２２には一対の矩形凸状部片２２１が設けられる。主体部２１の頂面２２と側面２４には、複数の細長い突出部片２６が設けられる。主体部２１の一対の側面２４の後端には一対の凹溝２４１が形成される。
【００１０】
前記舌板２０は、前記挿入溝２５と対応する複数の端子溝２０１３が形成される板状部２０１と、板状部２０１から下向きに延在する一対の延在壁２０２とを含む。前記端子溝２０１３は、それぞれ舌板２０の上、下表面に形成される。底面２３には、下向きに延在する複数の固持脚２０３が設けられる。
【００１１】
ハウジング１は、頂壁１３と、該頂壁１３と対向する底壁１４と、左側壁１１と、右側壁１２と、を備える。底壁１４には、一対の互いに係合される係合部１４１が設けられる。ハウジング１には、該等壁１１〜１４に包囲される収納孔１５が形成される。左側壁１１と底壁１４の間には、弓状連接面１１２が設けられる。この連接面１１２の構造は、互いに隣接する二つの壁１１〜１４の間の他の連接面の構造と異なる。これにより、該ハウジング２は対称な構造ではなくなり、絶縁性本体２が不正確に装入されることを防止できる。頂壁１３と底壁１４には、複数の弾力ビーム１３２が設けられる。頂壁１３には、複数の凹口１３１が形成される。左、右側壁１１，１２の下端には、下向きに延在する複数の固持部１１４が設けられる。左、右側壁１１，１２の後端には、一対の弾力部１１３が設けられる。
【００１２】
図６及び図７を参照すると、第２導電端子３２は上下に延在する第２保持部３２４と、第２保持部３２４の上端から前向きに延在する第２接触部３２３とを含む。第２導電端子３２の第２保持部３２４の末端は下向きに延在する。第１導電端子３１は、傾斜した第１保持部３１４と、第２接触部３２３より短い第１接触部３１３とを含む。第１導電端子３１の第１保持部３１４の末端が傾斜するように配置される。第１、第２導電端子３１，３２の第１、第２接触部３１３，３２３には、それぞれ複数の干渉部３６が設けられる。
【００１３】
図１乃至図７に示すように、該電気コネクタ１００を取り付ける時、先ず、第１、第２導電端子３１，３２は、それぞれ絶縁性本体２の挿入溝２５から舌板２０の下表面の端子溝２０１３と舌板２０の上表面の端子溝２０１３に挿入される。複数の第１導電端子３１の第１保持部３１４は一列に配置され、複数の第２導電端子３２の第２保持部３２４は、第１保持部３１４の後に他列に配置される。第１、第２導電端子３１，３２の第１、第２接触部３１３，３２３が端子溝２０１３に露出され、第１、第２保持部３１４，３２４が保持溝２１１に保持され、干渉部３６が挿入溝２５と係合する。第１導電端子３１の第１保持部３１４の傾斜した末端が下向きに折曲して折曲部３１４２が形成される。第１導電端子３１の第１保持部３１４の末端は、該折曲部３１４２によって、下向きに延在する。又、第１導電端子３１の折曲部３１４２は、第２導電端子３２の保持部３２４が位置する平面に配置される。
【００１４】
以上の操作によって、第１、第２導電端子３１，３２の第１、第２保持部３１４，３２４の末端が下向きに延在し、且つ、同じ平面に位置する。次に、第１、第２導電端子３１，３２の末端がそれぞれ後向きに折り曲げられる第１、第２折部３１４１，３２４１によって、第１、第２半田接続部３１５，３２５を形成する。
【００１５】
最後に、ハウジング１が絶縁性本体２を被覆する。絶縁性本体２の凸状部片２２１がハウジング３の凹口１３１に嵌め込まれ、弾力部１１３が凹溝２４１に挿入される。絶縁性本体２の支持部２７はハウジング１の底壁１４の下に位置する。絶縁性本体２の突出部片２６がハウジング１に当接する。ハウジング１の弾力ビーム１３２が絶縁性本体２に当接する。
【００１６】
図８乃至図１０を参照すると、第２実施状態において、電気コネクタ１００’は、絶縁性本体２’と、複数の第１、第２導電端子３１’，３２’と、ハウジング３’とを備える。第２実施状態における絶縁性本体２’、ハウジング３’及び第２導電端子３２’の構造は、第１実施状態における絶縁性本体２、ハウジング３及び第２導電端子３２の構造と相同である。ただ、第２実施状態における第１導電端子３１’は、第２導電端子３２’の第２接触部３２３’より短い第１接触部３１３’と、上下に延在する第１保持部３１４’とを有する。該第１導電端子３１’の第１保持部３１４’の末端は、第２導電端子３２’の第２保持部３２４’に向かって折曲されて下向きに折り曲げられて“Ｌ”字状の折曲部３１４２’が形成される。第１、第２導電端子３１’，３２’の第１、第２保持部３１４’，３２４’の末端が同じ平面に沿って下向きに延在する。次に、第１、第２導電端子３１’，３２’の第１、第２保持部３１４’，３２４’の末端は、後向きに折り曲げられる第１、第２折部３１４１’，３２４１’によって、第１、第２半田接続部３１５’，３２５’を形成する。
【００１７】
第１導電端子３１，３１’の第１保持部３１４，３１４’は、折曲部３１４２，３１４２’によって、第２導電端子３２，３２’の第２保持部３２４，３２４’が位置する平面まで到着するとともに下向きに延在する。同じ平面に位置して下向きに延在する第１保持部３１４，３１４’及び第２保持部３２４，３２４’の末端は、同時に同じ操作によって半田接続部を形成する。これにより、第１、第２導電端子３１，３１’，３２，３２’ の第１、第２半田接続部３１５，３１５’，３２５，３２５’は、形成されやすいとともに良好な平面度が得られる。
【００１８】
以上、本考案について最良の実施の形態を参照し詳細に説明したが、実施形態はあくまでも例示的なものであり、これらに限定されるものではない。また前記の説明、本考案に基づきなし得る細部の修正或いは変更などは、いずれも本考案の実用新案登録請求の範囲に属するものである。
【図面の簡単な説明】
【００１９】
【図１】本考案の第１実施状態における組み立てられた電気コネクタの組立斜視図である。
【図２】図１に示す電気コネクタの他の組み合わせの斜視図である。
【図３】図１に示す電気コネクタの分解斜視図である。
【図４】図３に示す電気コネクタの他の分解斜視図である。
【図５】図１に示す電気コネクタの後視図である。
【図６】図１に示す電気コネクタの第１、第２導電端子の斜視図である。
【図７】図６に示す電気コネクタの第１、第２導電端子の側面図である。
【図８】本考案の第２実施状態における組み立てられた電気コネクタの組立斜視図である。
【図９】図８に示す電気コネクタの第１、第２導電端子の側面図である。
【図１０】図８に示す電気コネクタの分解斜視図である。
【符号の説明】
【００２０】
１，１’  ハウジング
１００，１００’  電気コネクタ
１１  左側壁
１１２  連接面
１１３  弾力部
１１４  固持部
１２  右側壁
１３  頂壁
１３１  凹口
１３２  弾力ビーム
１４  底壁
１４１  係合部
１５  収納孔
２，２’  絶縁性本体
２０  舌板
２０１  板状部
２０１３  端子溝
２０２  延在壁
２０３  固持脚
２１  主体部
２１１  保持溝
２１２  前面
２１３  後面
２２  頂面
２２１  凸状部片
２３  底面
２４  側面
２４１  凹溝
２５  挿入溝
２６  突出部片
２７  支持部
３，３’  ハウジング
３１，３１’  第１導電端子
３２，３２’  第２導電端子
３１３，３１３’  第１接触部
３１４，３１４’  第１保持部
３１４１，３１４１’  第１折部
３１４２，３１４２’  折曲部
３１５，３１５’  第１半田接続部
３２３，３２３’  第２接触部
３２４，３２４’  第２保持部
３２４１，３２４１’  第２折部
３２５，３２５’  第２半田接続部
３６  干渉部
【図１】
0003145348.tif 000003
【図２】
0003145348.tif 000004
【図３】
0003145348.tif 000005
【図４】
0003145348.tif 000006
【図５】
0003145348.tif 000007
【図６】
0003145348.tif 000008
【図７】
0003145348.tif 000009
【図８】
0003145348.tif 000010
【図９】
0003145348.tif 000011
【図１０】
0003145348.tif 000012
【手続補正書】
【提出日】平成20年7月31日(2008.7.31)
【手続補正１】
【補正対象書類名】実用新案登録請求の範囲
【補正対象項目名】全文
【補正方法】変更
【補正の内容】
【実用新案登録請求の範囲】
【請求項１】
絶縁性本体と、
前記絶縁性本体に挿入され、折曲部を含んで一列に配置される第１保持部と、第１接触部と、第１半田接続部と、前記第１保持部と前記第１半田接続部との間に設けられる第１折部と、を有する第１導電端子と、
第１保持部の後に他列に配置される第２保持部と、第２接触部と、第２半田接続部と、前記第２保持部と前記第２半田接続部との間に設けられる第２折部と、を含む第２導電端子と、
前記絶縁性本体を被覆するハウジングと、
を備え、前記第１導電端子の第１保持部の末端は、前記折曲部によって第２保持部が位置する平面に沿って、第２保持部の延在方向と同じ方向に向かって延在することを特徴とする電気コネクタ。
【請求項２】
前記第１、第２導電端子の第１、第２折部は、同じ平面に位置し、第１、第２半田接続部が同じ寸法を具備して同じ平面に位置することを特徴とする請求項１に記載の電気コネクタ。
【請求項３】
前記第１導電端子の第１保持部が傾斜するように配置されることを特徴とする請求項２に記載の電気コネクタ。
【請求項４】
前記第１導電端子の第１保持部が上下に延在し、折曲部が後向きに延在して下向きに折曲されてＬ字状に形成されることを特徴とする請求項２に記載の電気コネクタ。
【請求項５】
前記絶縁性本体は、それぞれ上表面と下表面に形成される複数の端子溝を含む舌板を備え、前記第１、第２導電端子の第１、第２接触部は、それぞれ舌板の下表面の端子溝と上表面の端子溝に挿入されることを特徴とする請求項２に記載の電気コネクタ。
【請求項６】
前記絶縁性本体は、後端に前記端子溝と貫通する複数の保持溝が形成される主体部を具備し、前記第１、第２導電端子の第１、第２保持部は、前記保持溝に保持されることを特徴とする請求項５に記載の電気コネクタ。
【請求項７】
前記ハウジングは、底壁と、一対の凹口が形成される頂壁と、一対の弾力ビームが設けられる一対の側壁とを有し、前記絶縁性本体には、前記一対の凹口に嵌め込まれる一対の凸状部片が設けられ、前記弾力ビームと係合する一対の凹溝が形成されることを特徴とする請求項２に記載の電気コネクタ。
【請求項８】
前記ハウジングの頂壁と一対の側壁と底壁の中の互いに隣接する二つの壁の間の連接面は、少なくとも一つの連接面の構造が他の連接面の構造と異なることを特徴とする請求項７に記載の電気コネクタ。